【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ルマ成分および２つのクロマ成分を含む入力ビデオを符号化する方法であって、
−前記ルマ成分および前記クロマ成分に区分的線形関数を適用することによって当該入力ビデオを再形成することと、
−前記再形成されたビデオをビットストリーム内に符号化することと、
−サイド情報として当該区分的線形関数を表現するパラメータを符号化することと
を含み、当該入力ビデオの再形成が、復号された再形成されたビデオのターゲットにされたレンジおよび逆再形成が復号された再形成されたビデオに適用された後の再構成されたビデオのレンジにさらに依存する
方法。
【請求項２】
前記方法は、サイド情報として、復号された再形成されたビデオの当該ターゲットにされたレンジを決定する第１の情報データと再構成されたビデオの当該レンジを決定する第２の情報データとを符号化することをさらに含む、請求項１に記載の方法。
【請求項３】
ビットストリームから再構成されたビデオを復号する方法であって、
−前記ビットストリームを復号することによって復号された再形成されたビデオを入手することと、
−前記復号された再形成されたビデオを逆再形成することによって前記再構成されたビデオを入手することと
を含み、当該復号された再形成されたビデオの当該逆再形成は、当該復号された再形成されたビデオのターゲットにされたレンジと当該逆再形成が当該復号された再形成されたビデオに適用された後の再構成されたビデオの前記レンジとに依存する
方法。
【請求項４】
前記方法は、復号された再形成されたビデオの当該ターゲットにされたレンジを決定する第１の情報データと再構成されたビデオの当該レンジを決定する第２の情報データとを前記サイド情報から入手することをさらに含む、請求項３に記載の方法。
【請求項５】
前記方法は、１Ｄルックアップテーブルによって各区分的線形関数を表現することをさらに含む、請求項２または請求項３のいずれか１項に記載の方法。
【請求項６】
前記方法は、期待される状況に達するかどうかを判定するために前記第１の情報データの状況および前記第２の情報データの状況をチェックすることをさらに含み、
第１の期待される状況に達する場合に、前記区分的線形関数は、１より小さいスケーリング係数によって乗算され、非ヌル・オフセット値は、前記区分的線形関数に加算され、
第２の期待される状況に達する場合に、前記区分的線形関数は、１より小さいスケーリング係数によって乗算され、
第３の期待される状況に達する場合に、前記区分的線形関数は、１と等しいスケーリング係数によって乗算される
請求項２または請求項３のいずれか１項に記載の方法。
【請求項７】
サイド情報は、ＨＥＶＣ標準規格エディション２によって指定されるＣｏｌｏｕｒ  Ｒｅｍａｐｐｉｎｇ  Ｉｎｆｏｒｍａｔｉｏｎ  Ｓｕｐｐｌｅｍｅｎｔａｌ  Ｅｎｈａｎｃｅｍｅｎｔ  Ｉｎｆｏｒｍａｔｉｏｎメッセージを使用して運ばれる、請求項６に記載の方法。
【請求項８】
ルマ成分と２つのクロマ成分とを含む入力ビデオを符号化するデバイスであって、前記デバイスは、
−前記ルマ成分に区分的線形関数を適用し、前記クロマ成分に２つの他の区分的線形関数を適用することによって当該入力ビデオを再形成し、
−前記再形成されたビデオをビットストリーム内に符号化し、
−サイド情報として当該区分的線形関数を表現するパラメータを符号化する
ように構成されたプロセッサを含み、当該入力ビデオの再形成は、復号された再形成されたビデオのターゲットにされたレンジおよび逆再形成が前記復号された再形成されたビデオに適用された後の再構成されたビデオのレンジにさらに依存する
デバイス。
【請求項９】
ビットストリームから再構成されたビデオを復号するデバイスであって、前記ビットストリームを復号することによって復号された再形成されたビデオを入手し、前記復号された再形成されたビデオを逆再形成することによって前記再構成されたビデオを入手するように構成されたプロセッサを含み、当該復号された再形成されたビデオの前記逆再形成が、当該復号された再形成されたビデオのターゲットにされたレンジと、当該逆再形成が当該復号された再形成されたビデオに適用された後の再構成されたビデオの前記レンジとにさらに依存する、デバイス。
【請求項１０】
プログラムがコンピュータ上で実行されるときに請求項１に記載の前記符号化方法のステップを実行するプログラム・コード命令を含むコンピュータ・プログラム製品。
【請求項１１】
プログラムがコンピュータ上で実行されるときに請求項３に記載の前記復号方法のステップを実行するプログラム・コード命令を含むコンピュータ・プログラム製品。
【請求項１２】
前記プロセッサは、復号された再形成されたビデオの当該ターゲットにされたレンジを決定する第１の情報と再構成されたビデオの当該レンジを決定する第２の情報とをサイド情報から入手するようにさらに構成される、請求項９に記載のデバイス。
【請求項１３】
前記プロセッサは、１Ｄルックアップテーブルによって各区分的線形関数を表現するようにさらに構成される、請求項８または請求項９のいずれか１項に記載のデバイス。
【請求項１４】
前記プロセッサは、期待される状況に達するかどうかを判定するために前記第１の情報データの状況および前記第２の情報データの状況をチェックするようにさらに構成され、
第１の期待される状況に達する場合に、前記区分的線形関数は、１より小さいスケーリング係数によって乗算され、非ヌル・オフセット値は、前記区分的線形関数に加算され、
第２の期待される状況に達する場合に、前記区分的線形関数は、１より小さいスケーリング係数によって乗算され、
第３の期待される状況に達する場合に、前記区分的線形関数は、１と等しいスケーリング係数によって乗算される
請求項８または請求項９に記載のデバイス。
【請求項１５】
サイド情報は、ＨＥＶＣ標準規格エディション２によって指定されるＣｏｌｏｕｒ  Ｒｅｍａｐｐｉｎｇ  Ｉｎｆｏｒｍａｔｉｏｎ  Ｓｕｐｐｌｅｍｅｎｔａｌ  Ｅｎｈａｎｃｅｍｅｎｔ  Ｉｎｆｏｒｍａｔｉｏｎメッセージを使用して運ばれる、請求項１４に記載のデバイス。
【手続補正２】
【補正対象書類名】明細書
【補正対象項目名】０１３１
【補正方法】変更
【補正の内容】
【０１３１】
複数の実施態様を説明した。それでも、様々な変更が行われ得ることを理解されたい。たとえば、異なる実施態様の要素が、他の実施態様を作るために組み合わされ、増補され、変更され、または除去され得る。さらに、当業者は、他の構造およびプロセスが、開示されたものに置換され得、結果の実施態様が、開示される実施態様と少なくとも実質的に同一の結果を達成するために、少なくとも実質的に同一の形で、少なくとも実質的に同一の機能を実行することを理解するであろう。したがって、これらおよび他の実施態様は、本明細書によって企図されている。
上記実施形態の一部又は全部は、以下の付記のようにも記載されうるが、以下には限られない。
（付記１）
ルマ成分および２つのクロマ成分を含む入力ビデオを符号化する方法であって、
−前記ルマ成分および前記クロマ成分に区分的線形関数を適用すること（６１０）によって前記入力ビデオを再形成することと、
−前記再形成されたビデオをビットストリーム内に符号化すること（６２０）と、
−サイド情報として前記区分的線形関数を表現するパラメータを符号化すること（６３０）と
を含み、前記入力ビデオの再形成が、復号された再形成されたビデオのターゲットにされたレンジおよび逆再形成が復号された再形成されたビデオに適用された後の再構成されたビデオのレンジにさらに依存することを特徴とする
方法。
（付記２）
前記方法は、サイド情報として、復号された再形成されたビデオの前記ターゲットにされたレンジを決定する第１の情報データ（ＶＦＲ）と再構成されたビデオの前記レンジを決定する第２の情報データ（ＣＲＦＲ）とを符号化することをさらに含む、付記１に記載の方法。
（付記３）
ビットストリームから再構成されたビデオを復号する方法であって、前記ビットストリームを復号することによって復号された再形成されたビデオを入手すること（７００）と、前記復号された再形成されたビデオを逆再形成することによって前記再構成されたビデオを入手すること（７３０）とを含み、
前記方法は、前記復号された再形成されたビデオの前記逆再形成が、前記復号された再形成されたビデオのターゲットにされたレンジと前記逆再形成が前記復号された再形成されたビデオに適用された後の再構成されたビデオのレンジとに依存することを特徴とする
方法。
（付記４）
前記方法は、復号された再形成されたビデオの前記ターゲットにされたレンジを決定する第１の情報データ（ＶＦＲ）と再構成されたビデオの前記レンジを決定する第２の情報データ（ＣＲＦＲ）とを前記サイド情報から入手することをさらに含む、付記３に記載の方法。
（付記５）
前記方法は、１Ｄルックアップテーブルによって各区分的線形関数を表現することをさらに含む、付記２〜付記４のいずれか１項に記載の方法。
（付記６）
前記方法は、期待される状況に達するかどうかを判定するために前記第１の情報データ（ＶＦＲ）の状況および前記第２の情報データ（ＣＲＦＲ）の状況をチェックすることをさらに含み、
第１の期待される状況に達する場合に、前記区分的線形関数は、１より小さいスケーリング係数によって乗算され、非ヌル・オフセット値は、前記区分的線形関数に加算され、
第２の期待される状況に達する場合に、前記区分的線形関数は、１より小さいスケーリング係数によって乗算され、
第３の期待される状況に達する場合に、前記区分的線形関数は、１と等しいスケーリング係数によって乗算される
付記２〜付記５のいずれか１項に記載の方法。
（付記７）
サイド情報は、ＨＥＶＣ標準規格版２によって指定されるＣｏｌｏｕｒ  Ｒｅｍａｐｐｉｎｇ  Ｉｎｆｏｒｍａｔｉｏｎ（ＣＲＩ）Ｓｕｐｐｌｅｍｅｎｔａｌ  Ｅｎｈａｎｃｅｍｅｎｔ  Ｉｎｆｏｒｍａｔｉｏｎ（ＳＥＩ）メッセージを使用して担持される、付記１〜付記６のいずれか１項に記載の方法。
（付記８）
ルマ成分と２つのクロマ成分とを含む入力ビデオを符号化するデバイスであって、前記デバイスは、
−前記ルマ成分に区分的線形関数を適用し、前記クロマ成分に２つの他の区分的線形関数を適用すること（６１０）によって前記入力ビデオを再形成する手段と、
−前記再形成されたビデオをビットストリーム内に符号化する（６２０）ための手段と、
−サイド情報として前記区分的線形関数を表現するパラメータを符号化する（６３０）手段と
を含み、前記入力ビデオを再形成する前記手段が、復号された再形成されたビデオのターゲットにされたレンジおよび逆再形成が復号された再形成されたビデオに適用された後の再構成されたビデオのレンジにさらに依存することを特徴とする
デバイス。
（付記９）
ビットストリームから再構成されたビデオを復号するデバイスであって、前記ビットストリームを復号することによって復号された再形成されたビデオを入手する手段（７００）と、前記復号された再形成されたビデオを逆再形成することによって前記再構成されたビデオを入手する手段（７３０）とを含み、前記復号された再形成されたビデオの前記逆再形成が、前記復号された再形成されたビデオのターゲットにされたレンジと、前記逆再形成が前記復号された再形成されたビデオに適用された後の再構成されたビデオのレンジとにさらに依存することを特徴とする、デバイス。
（付記１０）
符号化された再形成されたビデオを担持する信号であって、復号された再形成されたビデオのターゲットにされたレンジを決定する第１の情報データ（ＶＦＲ）と、逆再形成が前記復号された再形成されたビデオに適用された後の再構成されたビデオのレンジを決定する第２の情報データ（ＣＲＦＲ）とをさらに担持することを特徴とする信号。
（付記１１）
プログラムがコンピュータ上で実行されるときに付記１に記載の前記符号化方法のステップを実行するプログラム・コード命令を含むコンピュータ・プログラム製品。
（付記１２）
プログラムがコンピュータ上で実行されるときに付記３に記載の前記復号方法のステップを実行するプログラム・コード命令を含むコンピュータ・プログラム製品。
（付記１３）
プログラムがコンピュータ上で実行されるときに付記１から付記７のうちの１項に記載の前記方法のステップを実行するプログラム・コードの命令を担持する非一時的記憶媒体。